(57)【要約】【課題】外風、冷気の進入の防止、遮音に効果があり、排気量の増加が可能で、騒音を下げ、省エネ運転が可能あると共に、大容量の送風機を備えた換気扇の設置や複数台の換気扇の設置を行なわなくても良いため部屋のインテリア性が損なわれることがない天井用換気扇を提供する。【解決手段】本天井用換気扇は、底面に開口部２ａが設けられた換気扇本体２と、この換気扇本体２内部に設けられ、ケーシング７を備えた送風機３と、換気扇本体２の一側面に設けられ、各々シャッター１０、１１が設けられた２個のシャッター付排気口５、６を備え、２個のシャッター付排気口は、一方の排気口が室外へ連通する排気配管を接続する構成とし、もう一方の排気口が天井裏空間へ排気する構成とすると共に電動開閉式シャッターを備えている。【選択図】  図２
2007032892.tif 000002
【特許請求の範囲】
【請求項１】
底面に開口部が設けられた換気扇本体と、この換気扇本体内部に設けられ、ケーシングを備えた送風機と、前記換気扇本体の一側面に設けられ、各々シャッターが設けられた２個のシャッター付排気口を備え、２個のシャッター付排気口は、一方の排気口が室外へ連通する排気配管を接続する構成とし、もう一方の排気口が天井裏空間へ排気する構成とすると共に電動開閉式シャッターを備えることを特徴とする天井用換気扇。
【発明の詳細な説明】
【技術分野】
【０００１】
本発明は天井用換気扇に係り、特に２個のシャッター付排気口にシャッターを設け、少なくとも一方のシャッターは電動開閉式である天井用換気扇に関する。
【背景技術】
【０００２】
一般住宅において、所定の大きさに区切られた居住空間を形成する室内において、その室内上面には天井板が張られ、その天井板の上部に所定の高さを備えた天井裏の空間が形成されている。この天井裏には、住宅内に張りめぐられる電気配線などが室内に露出しないように施設され、また室内の遮音、断熱効果を高める効果も備えている。また、この天井空間は、他の室内空間あるいは屋外と通気が行なわれるように構成して、室内の湿気などが住宅内にこもらないように構成されている。
【０００３】
また、最近の住宅は室内の断熱性を高めるため、気密性が高まり、そのため室内の換気を行うためには、室内の空気を強制的に室外に送り出すための換気扇が必要となっている。このような室内に設置する換気扇としては、室内の天井裏に天井用換気扇を取付け、この換気扇本体の底面に設けられた吸気口を室内天井板開口より室内に臨ませ、この吸気口から室内空気を吸い込み、換気扇本体の側面に設けられた排気口から屋外に連通する排気配管を介して吸込まれた空気を屋外へ排出するようになっている。
【０００４】
しかしながら、従来の天井用換気扇は、図８に示すように、換気扇本体内部に設けられた送風機のケーシング吹出口が位置する本体側面に排気口を１個設け、室外側連通させる排気配管を介して排気する構造になっており、送風機を回転して室内の空気を所定の時間をかけて徐々に排気して入れ替えるためのものであった。また、上記の排気配管の径により通風量がある程度限定されるため、時間あたりの換気量が小さく、送風機を高速にして通風量を高めようとしても通風抵抗により騒音が発生し、かつ送風機のモータに対する負荷が増大し消費電力が大きくなるといった問題が生じる。また室内に充満した熱気やタバコの煙など汚れた空気を短時間で排出したい場合、送風機を高速回転するようにしても通風抵抗により通風量が十分取れないためその換気に時間がかかり、このような短時間で多くの空気の換気を行なえる要求に対応するため大容量の換気扇の設置、あるいは複数の換気扇の設置を行なった場合は、コスト高になり、また、インテリア性を損なうなどの問題があった（特許文献１）。
【特許文献１】実開平５−６４６３９号公報
【発明の開示】
【発明が解決しようとする課題】
【０００５】
本発明は上述した事情を考慮してなされたもので、小形の換気扇においても、外風、冷気の進入の防止、遮音に効果があり、一時的な排気量の増加が可能で、騒音を下げ、省エネ運転が可能、大容量の送風機を備えた換気扇の設置や複数台の換気扇の設置を行なわなくても良いため、部屋のインテリア性が損なわれない天井用換気扇を提供することを目的とする。
【課題を解決するための手段】
【０００６】
上述した目的を達成するため、本発明に係る天井用換気扇は、底面に開口部が設けられた換気扇本体と、この換気扇本体内部に設けられ、ケーシングを備えた送風機と、前記換気扇本体の一側面に設けられ、各々シャッターが設けられた２個のシャッター付排気口を備え、２個のシャッター付排気口は、一方の排気口が室外へ連通する排気配管を接続する構成とし、もう一方の排気口が天井裏空間へ排気する構成とすると共に電動開閉式シャッターを備えることを特徴とする。
【発明の効果】
【０００７】
本発明に係る天井用換気扇によれば、筐体の大形化及び排気配管の大径化を図らなくても良いのでコンパクトに構成でき、外風、冷気の進入の防止、遮音に効果があり、排気量の増加が可能で、騒音を下げ、省エネ運転が可能であると共に、大容量の送風機を備えた換気扇の設置や複数台の換気扇の設置を行なわなくても良いため部屋のインテリア性が損なわれることがない天井用換気扇を提供することができる。
【発明を実施するための最良の形態】
【０００８】
以下、本発明に係る天井用換気扇の一実施形態について添付図面を参照して説明する。
【０００９】
図１は本発明に係る天井用換気扇の使用状態を示す概念図、図２は本発明に係る天井用換気扇の平面図、図３は本発明に係る天井用換気扇の縦断面図、図４は本発明に係る天井用換気扇の排気口部分を示す斜視図である。
【００１０】
図１〜図４に示すように、本実施形態に係る天井用換気扇１は、底面が正方形状で扁平直方体形状の換気扇本体２を有し、この換気扇本体２の内部には送風機３が設けられている。
【００１１】
換気扇本体２の底面には開口部２ａが設けられ、この開口部２ａは着脱自在で通気可能な本体カバー４によって塞がれており、また、換気扇本体２の一側面２ｂには、排気口５と排気口６の２個の排気口が設けられている。
【００１２】
一方、送風機３は吸込口７ａ、吹出口７ｂを備えたケーシング７と、このケーシング７に収容されたファン８、ファンモータ９からなり、吹出口７ｂは、換気扇本体２の一側面２ｂのほぼ全面に渡たるように開口しており、排気口５および排気口６の２つが左右に隣接して設けられている。
【００１３】
図３及び図５に示すように、第１の排気口５は水平方向に向かって開口し、開口円筒５ａに回動自在に軸支されており、ケーシング７からの排気により、回動して第１の排気口５を開放し、外気により第１の排気口５を閉塞する風圧開閉式シャッター１０が設けられて、シャッター付排気口を構成している。第２の排気口６は斜め上方に向かって開口し、開口側板６ａ間に設けられた電動シャッター例えば、開閉モータ１１ａにより開閉される電動開閉式シャッター１１が設けられて、電動シャッター付排気口を構成しなお、電動開閉式シャッター１１の回動角度は送風機３の運転モード（強、弱）に連動させるのが好ましい。これにより、効率よく排気ができ、経済的である。
【００１４】
また、第２の排気口６には、排気配管が接続されず、排気を天井板１２裏の空間に直接排出するようになっており、さらに、第１の排気口５は排気配管１３により屋外に連通しており、第１の排気口５からの排気は排気配管１３を介して、屋外に排出されるようになっている。
【００１５】
さらに、天井用換気扇１は、天井板１２に設けられた開口１４に換気扇本体２の開口部２ａを合わせ、換気扇本体２と天井板１２に取付木材１５を介在させて天井板１２に取付けられている。さらに、本体カバー４の換気扇本体２への着脱自在な取付けは、本体カバー４に設けられたスプリング１６を本体カバー４に設けられた引掛金具１７に引掛け保持することによって行われている。
【００１６】
なお、電動開閉式シャッター１１の回動は、図６に示すように、操作ワイヤー２１をモータ２２により巻取って、電動開閉式シャッター１１を回動させて、第２の排気口６を開放し、モータ２２の停止時、復帰スプリング２３によって、シャッター１１を引き戻して、第２の排気口６を閉塞するようにしてもよい。
【００１７】
本実施形態に係る天井用換気扇は上記構造を有するので、図２に示すように、送風機３の働きで開口部２ａから吸込まれた室内空気（排気）は、ケーシング７内を通過し、流速を増し、一部がケーシング７内を曲線的に流れ、第１の排気口５、排気配管１３を介して屋外に排出される通常排気運転時の排気通路が構成される。さらに、電動開閉式シャッター１１を回動させて、第２の排気口６を開放した場合には、排気は直線的に流れる位置に設けられた大きな面積を有する第２の排気口６から天井板１２裏の空間に排出され、天井板１２裏の空間への直接排出により、室内の空気を早急に換気したい場合、短時間に天井裏側に排気が可能となる。
【００１８】
このため、通常時や、外出時などで室内の空気を所定の時間かけて入れ替えたい場合には、電動開閉式シャッター１１を回動させて、第２の排気口６を閉じた状態で運転すれば、第１の排気口５から排気配管１３を介して屋外へ換気が行なわれる。また、室内で喫煙などを行い室内の空気が汚れている状態で、短時間で室内空気の入れ替え行ないたい場合には、電動開閉式シャッター１１を回動させて、第２の排気口６を開放することで、上記の第１の排気口５からの換気に加え、第２の排気口６から天井裏の空間に室内空気が多量に排気されるため、室内の空気は短時間で入れ替えすることが出来る。また、天井裏に排出された空気は、一時的に天井裏に充満するが、屋外と連通しているため、時間が経過する事で空気が入れ替わり、汚れた空気は屋外に排出される事になる。
【００１９】
このような排気過程において、本天井用換気扇１は、ファンモータ７の同一回転数における室内空気の排気量は、電動開閉式シャッター１１を開いた場合、従来に比べて大幅に増加し、また、ファンの吹出側の風圧が低減されることで騒音が低減し、さらに、ファンモータの負荷が軽減されることで同一排気量に対して消費電力量が低減する。また、排気量の一時的な増大が可能となることで、換気能力を大きくするための製品の数増しあるいは大容量の送風機を備えた換気扇の設置が不必要であり経済的（製品コスト安）であり、さらに、大容量の送風機を備えた換気扇の設置や複数台の換気扇の設置を行なわなくても良いため室内美観の悪化もなく、室内のインテリア性が損なわれることもない。
【００２０】
また、第１の排気口５及び第２の排気口６には、風圧開閉式シャッター１０及び電動開閉式シャッター１１が設けられているので、運転停止中や逆風により第１の排気口５及び第２の排気口６から外風、冷気の進入を防止でき、さらに、遮音効果を有する。
【００２１】
本実施形態の天井用換気扇によれば、外風、冷気の進入の防止、遮音に効果があり、排気量の増加が可能で、騒音を下げ、省エネ運転が可能となり、さらに大容量の送風機を備えた換気扇の設置や複数台の換気扇の設置が不要で部屋のインテリア性が損なわれない天井用換気扇が実現される。
【００２２】
図７は排気が直線的に流れる位置に第１の排気口５が設けられ、曲線的に流れる位置に第２の排気口６が設けられた本発明に係る天井用換気扇の第２の実施例を示す。
【００２３】
この実施例においては、排気が直線的に流れる位置に排気配管により屋外に連通する第１の排気口５を設けたため、室外への排気量を増加させることができる。また、電動開閉式シャッター１１を開くことで、室内空気の排気量を大幅に増加できる作用効果は、前記した実施例と同様に備えている。
【図面の簡単な説明】
【００２４】
【図１】本発明に係る天井用換気扇の使用状態を示す概念図。
【図２】本発明に係る天井用換気扇の平面図。
【図３】本発明に係る天井用換気扇の縦断面図。
【図４】本発明に係る天井用換気扇の排気口部分を示す下方視の斜視図。
【図５】本発明に係る天井用換気扇の排気口部分を示す上方視の斜視図。
【図６】本発明に係る天井用換気扇の他の実施形態の排気口部分を示す斜視図。
【図７】本発明に係る天井用換気扇の排気口部分の第２の実施例を示す斜視図。
【図８】従来例に係る天井用換気扇の平面図。
【符号の説明】
【００２５】
１…天井用換気扇、２…換気扇本体、２ａ…開口部、２ｂ…一側面、３…送風機、４…本体カバー、５…第１の排気口、６…第２の排気口、７…ケーシング、７ａ…吸込口、７ｂ…吹出口、１０…風圧開閉式シャッター、１１…電動開閉式シャッター、１１ａ…開閉モータ、１２…天井板、１３…排気配管。
【図１】
2007032892.tif 000003
【図２】
2007032892.tif 000004
【図３】
2007032892.tif 000005
【図４】
2007032892.tif 000006
【図５】
2007032892.tif 000007
【図６】
2007032892.tif 000008
【図７】
2007032892.tif 000009
【図８】
2007032892.tif 000010